(57)【要約】【課題】送信元からのデータ送信要求に対して、送信先の機器に適したデータ形式のデータを送信する。【解決手段】グリーティング配信装置１０は、同一目的のデータ形式が異なる複数のコンテンツデータ（Ｆｌａｓｈデータ２４ａ、動画データ２４ｂ、静止画データ２４ｃ）をデータサーバ２４に記録している。グリーティング受付処理部２２ａは、送受信部２０を通じて、データの送信要求と送信対象とするコンテンツデータを示す種類データを送信元の携帯電話機１８から受信する。グリーティング配信処理部２２ｂは、送信先の携帯電話機１８から受信要求と共に機種情報を受信すると、機器情報に対応するデータ形式のコンテンツデータをデータサーバ２４から取得して送信先の携帯電話機１８に送信する。【選択図】図１
2007048255.tif 000002
【特許請求の範囲】
【請求項１】
同一目的のデータ形式が異なる複数のコンテンツデータを選択的に送信するデータ配信装置であって、
同一目的のデータ形式が異なる複数のコンテンツデータを、同データを識別するための共通する種類データと対応付けて記録するデータ記録手段と、
前記データ記録手段に記録されたコンテンツデータを第１の機器に対して送信する送信要求と共に、送信対象とするコンテンツデータを示す種類データを第２の機器から受信する送信要求受信手段と、
前記第１の機器からコンテンツデータの受信要求と共に、前記第１の機器を識別するための識別情報を受信する受信要求受信手段と、
前記受信要求受信手段によって受信された識別情報に応じて、前記第１の機器に対して送信するコンテンツデータのデータ形式を判別するデータ判別手段と、
前記データ記録手段に記録された、前記データ判別手段により判別されたデータ形式のコンテンツデータを前記第１の機器に送信するデータ送信手段と
を具備したことを特徴とするデータ配信装置。
【請求項２】
機種情報と、同機種情報が示す機器において処理可能なデータ形式を示す機能情報とを対応付けて記録する機種識別情報記憶手段を有し、
前記受信要求受信手段は、前記識別情報として前記第１の機器に固有の機種情報を受信し、
前記データ判別手段は、前記受信要求受信手段により受信された機種情報をもとに、前記機種識別情報記憶手段から当該機種情報に対応する機能情報を取得することによりデータ形式を判別することを特徴とする請求項１記載のデータ配信装置。
【請求項３】
前記送信要求受信手段により送信要求が受信された場合に、前記第２の機器に対して、前記第１の機器に転送すべき、コンテンツデータの受信要求先を示す情報を通知するための電子メールを送信するメール送信手段を具備したことを特徴とする請求項１記載のデータ配信装置。
【請求項４】
前記送信要求受信手段により送信要求が受信された場合に、前記第１の機器に対して、コンテンツデータの受信要求先を示す情報を通知するための電子メールを送信するメール送信手段を具備したことを特徴とする請求項１記載のデータ配信装置。
【請求項５】
前記データ記録手段に記録されるデータ形式が異なる複数のコンテンツデータには、前記第１の機器において表示に用いられるベクトルデータ、動画データ、及び静止画データを含むことを特徴とする請求項１記載のデータ配信装置。
【請求項６】
前記受信要求受信手段は、ＷＷＷ（World Wide Web）を通じて前記第１の機器から受信要求を受信し、
前記データ送信手段は、前記ＷＷＷを通じてコンテンツデータを前記第１の機器に送信することを特徴とする請求項１記載のデータ配信装置。
【請求項７】
前記受信要求受信手段は、電子メールにより前記第１の機器から受信要求を受信し、
前記データ送信手段は、電子メールによりコンテンツデータを前記第１の機器に送信することを特徴とする請求項１記載のデータ配信装置。
【請求項８】
前記送信要求受信手段によって受信された前記送信要求に対する前記コンテンツデータの送信を実施する予約日時を前記第２の機器から受信して記憶する予約手段と、
前記予約手段により記憶された日時に到達したことを判別する予約日時判別手段と、
前記予約日時判別手段により予約日時に到達したことが判別された場合に、前記第２の機器に対して、コンテンツデータの受信要求先を示す情報を通知するための電子メールを送信するメール送信手段と
をさらに具備したことを特徴とする請求項１記載のデータ配信装置。
【請求項９】
前記送信要求受信手段によって受信された前記送信要求に対して、前記コンテンツデータの送信を即時に実行するか、あるいは予約するかを選択する選択手段と、
前記選択手段により予約することが選択された場合に、前記第２の機器から予約日時を受信して記憶する予約手段と、
前記選択手段により前記コンテンツデータの送信を即時に実行することが選択された場合に、前記第２の機器に対して、コンテンツデータの受信要求先を示す情報を通知するための電子メールを送信する第１のメール送信手段と、
前記予約手段により記憶された日時に到達したことを判別する予約日時判別手段と、
前記予約日時判別手段により予約日時に到達したことが判別された場合に、前記第２の機器に対して、コンテンツデータの受信要求先を示す情報を通知するための電子メールを送信する第２のメール送信手段と
をさらに具備したことを特徴とする請求項１記載のデータ配信装置。
【請求項１０】
前記予約手段により記憶された予約日時を前記第２の機器からの要求に応じて変更する予約変更手段をさらに具備したことを特徴とする請求項８または請求項９記載のデータ配信装置。
【発明の詳細な説明】
【技術分野】
【０００１】
本発明は、送信元の機器から受信されたデータの送信要求に応じて、送信先の機器に対してデータを送信するデータ配信装置に関する。
【背景技術】
【０００２】
従来、インターネットを通じてグリーティングカードを表現する画像や、画像に伴う音楽などを配信するサービスが提供されている（特許文献１参照）。こうしたサービスを利用する場合には、例えば、サービスを提供しているサイトにアクセスする。そして、予め用意されているコンテンツ（画像、音楽など）から配信対象とするものを選択し、メッセージ、送信元のメールアドレスおよび送信先のメールアドレス等を入力することにより、送信先にコンテンツとメッセージとが一体になった電子的なグリーティングカードが作成される。
【０００３】
サービス提供会社は、電子的なグリーティングカードを閲覧可能なインターネット上のサイトへアクセスするためのＵＲＬ（uniform resource locator）を、電子メールによって送信先に送信する。この電子メールを受信した送信先のユーザが電子メールに記載されたＵＲＬが示すサイトにアクセスすることで、電子グリーティングカードが表示されるため、このカードに書かれてあるメッセージを読んだり画像や音楽等を楽しむことができる。
【０００４】
一般に、パーソナルコンピュータでは、各種のアプリケーションをインストールして実行させることができるので、各種のデータ形式による電子的なグリーティングカードを受信して処理することができる。例えば、近年では、静止画データや動画データを表示する機能だけでなく、オーディオを伴うアニメーションを主としたコンテンツを再生するためのベクトル形式のデータ（いわゆるＦｌａｓｈデータ）をもとに表示を行う機能が搭載されるようになってきており、グリーティングカードをアニメーションにより表現することもできるようになってきている。
【０００５】
近年では、パーソナルコンピュータに限らず、携帯電話機においてもベクトル形式のデータを処理可能な機種が使用され始めている。
【特許文献１】特開２００２−３６６４９６公報
【発明の開示】
【発明が解決しようとする課題】
【０００６】
このように携帯電話機においてもベクトル形式のデータを処理することができる機能が搭載されたものがあり、このデータ形式によるデータを受信してアニメーションなどを表示させることができる。
【０００７】
一方、携帯電話機は、搭載されている機能が機種によって様々であるため、例えばベクトル形式のデータを処理することができず動画の表示のみが可能なもの、さらには動画を表示することもできず静止画のみが表示可能なものがある。
【０００８】
従って、電子的なグリーティングカードを配信するサービスにおいて、ベクトル形式のデータの配信が可能であるとしても、送信先の携帯電話機が対応していなければ利用することができなかったり、送信先の相手が使用している機種を知らないため、一方的に表示不能なデータを送りつけてしまったりすることになる。
【０００９】
本発明は前述した事情に考慮してなされたもので、その目的は、送信元からのデータ送信要求に対して、送信先の機器に適したデータ形式のデータを送信することができるデータ配信装置を提供することにある。
【課題を解決するための手段】
【００１０】
本発明は、同一目的のデータ形式が異なる複数のコンテンツデータを選択的に送信するデータ配信装置であって、同一目的のデータ形式が異なる複数のコンテンツデータを、同データを識別するための共通する種類データと対応付けて記録するデータ記録手段と、前記データ記録手段に記録されたコンテンツデータを第１の機器に対して送信する要求と共に、送信対象とするコンテンツデータを示す種類データを第２の機器から受信する送信要求受信手段と、前記第１の機器からコンテンツデータの受信要求と共に、前記第１の機器を識別するための識別情報を受信する受信要求受信手段と、前記受信要求受信手段によって受信された識別情報に応じて、前記第１の機器に対して送信するコンテンツデータのデータ形式を判別するデータ判別手段と、前記データ記録手段に記録された、前記データ判別手段により判別されたデータ形式のコンテンツデータを前記第１の機器に送信するデータ送信手段とを具備したことを特徴とする。
【発明の効果】
【００１１】
本発明によれば、第２の機器（送信元）から第１の機器（送信先）に対するコンテンツデータの送信要求が受信されると、第１の機器から受信される識別情報をもとに第１の機器により処理可能なデータ形式を判別し、そのデータ形式に応じてコンテンツデータを選択して第１の機器に対して送信するので、送信元では第１の機器が何れのデータ形式に対応可能な機種であるか意識することなく、第１の機器に適したデータ形式のデータを送信さることができる。
【発明を実施するための最良の形態】
【００１２】
以下、図面を参照して本発明の実施の形態について説明する。
【００１３】
図１は、本実施形態におけるシステムの構成を示すブロック図である。図１に示すグリーティング配信装置１０（データ配信装置）は、通信網（ネットワーク１２、電話会社１４、基地局１６）を通じてグリーティングデータを携帯電話機１８に配信するサービスを提供するもので、ネットワーク１２を介して送信元となる携帯電話機１８（第２の機器）から、他の携帯電話機１８に対してコンテンツデータを送信させるための送信要求を受信し、この要求に対して送信先の携帯電話機１８（第１の機器）からの受信要求に応じて送信元が選択したデータの配信を実行する機能を有している。本実施形態のグリーティング配信装置１０では、同一目的のデータ形式が異なる複数のコンテンツデータを選択的に送信することができるもので、例えば「誕生日」に送るためのコンテンツデータとして、後述するようにＦｌａｓｈデータ２４ａ、動画データ２４ｂ、静止画データ２４ｃの何れかのデータ形式によるものを送信先の携帯電話機１８が有する機能に応じて送信することができる。
【００１４】
グリーティング配信装置１０には、送受信部２０、データ取得部２１、制御部２２、及びデータサーバ２４が設けられている。
【００１５】
送受信部２０は、ネットワーク１２を通じて外部の機器との通信を制御し、各種データの送受信を行う。
【００１６】
データ取得部２１は、送受信部２０を通じて、外部の機器から受信されたデータを取得して制御部２２あるいはデータサーバ２４に提供し、また外部に出力すべきデータを制御部２２あるいはデータサーバ２４から取得して、送受信部２０を通じて送信させる。
【００１７】
制御部２２は、グリーティング配信装置１０によるデータ配信を制御するもので、グリーティング受付処理部２２ａ、グリーティング配信処理部２２ｂ、及び機種識別部２２ｃの各機能が設けられている。
【００１８】
グリーティング受付処理部２２ａは、データサーバ２４に記録されたグリーティング用のコンテンツデータを、送信先とする携帯電話機１８に対して送信する要求と共に、送信対象とするコンテンツデータを示す種類データを送信元の携帯電話機１８から受信するための処理を実行する。
【００１９】
グリーティング配信処理部２２ｂは、グリーティング受付処理部２２ａによって受信された送信元の携帯電話機１８からの要求に応じて、データサーバ２４に記録されたコンテンツデータを送信先の携帯電話機１８に対して送信する。グリーティング配信処理部２２ｂは、機種識別部２２ｃによって識別された送信先の携帯電話機１８が処理が可能なデータ形式のコンテンツデータを、データ取得部２１によりデータサーバ２４から取得させて送信させる。
【００２０】
機種識別部２２ｃは、コンテンツデータの送信先とする携帯電話機１８から識別情報（携帯電話機１８に固有の機器情報（コード））を受信し、この識別情報に応じて、送信先の携帯電話機１８に対して送信するコンテンツデータのデータ形式を判別する。機種識別部２２ｃは、データサーバ２４に記録された機種識別情報２４ｅ（後述する）を参照することにより、識別情報（機種情報）に応じた送信すべきコンテンツデータのデータ形式を判別する。
【００２１】
データサーバ２４は、データ配信に関係する各種データを記録するもので、グリーティング用のコンテンツデータとして、同一目的のデータ形式が異なる複数のコンテンツデータを、同データを識別するための共通する種類データと対応付けて記録している（図２参照）。本実施形態では、グリーティング用のコンテンツデータ（以下、グリーティングデータと称する）として、複数の目的のそれぞれにＦｌａｓｈデータ２４ａ、動画データ２４ｂ、静止画データ２４ｃが用意されている。
【００２２】
Ｆｌａｓｈデータ２４ａは、オーディオを伴うアニメーションを主とした画像を表示するためのデータである。Ｆｌａｓｈデータ２４ａは、ベクトル形式のデータにより構成されるもので、容量が小さく、拡大しても滑らかな画像を表示できる特徴を有している。Ｆｌａｓｈデータ２４ａをもとにして画像を表示するためには、Ｆｌａｓｈデータ２４ａに対応する再生機能（プログラム）が必要となる。
【００２３】
動画データ２４ｂは、携帯電話機１８に実装された動画再生機能により再生が可能なデータである。
【００２４】
静止画データ２４ｃは、携帯電話機１８に実装された静止画再生機能により表示が可能なデータであり、例えば待ち受け画面などにおいて表示可能なデータである。
【００２５】
図２には、データサーバ２４に記録されるグリーティングデータ、すなわちＦｌａｓｈデータ２４ａ、動画データ２４ｂ、及び静止画データ２４ｃの対応関係を示している。
【００２６】
図２に示すように、データサーバ２４では、同一目的（例えば「年賀状」としてのグリーティング）のデータ形式が異なる複数のコンテンツデータを、同データを識別するための共通する種類データ（例えば「年賀状１」）と対応付けて記録する。複数のグリーティングの目的としては、例えば「年賀状」「クリスマス」「結婚祝い」「誕生日」…などがあり、それぞれのグリーティング用のデータがＦｌａｓｈデータ２４ａ、動画データ２４ｂ、及び静止画データ２４ｃのデータ形式で用意されている。
【００２７】
従って、送信元の携帯電話機１８から送信対象とするグリーティングデータを示す種類データとして、例えば「年賀状１」が受信された場合には、「年賀状１」に対応するＦｌａｓｈデータ２４ａ、動画データ２４ｂ、あるいは静止画データ２４ｃの何れかにより作成されたグリーティングデータを選択して送信することができる。
【００２８】
また、データサーバ２４には、データ一覧表２４ｄ、機種識別情報２４ｅの各データが記録される。
【００２９】
データ一覧表２４ｄは、送信元の携帯電話機１８において、送信先に対して送信するコンテンツ（グリーティングデータ）を選択させるためのもので、データサーバ２４に用意されたグリーティングデータを示す種類データの一覧を表すデータである。データ一覧表２４ｄは、送信元の携帯電話機１８に送信されることで、この携帯電話機１８の表示画面において表示される（図８（ａ）参照）。
【００３０】
機種識別情報２４ｅは、グリーティングデータの送信先とする携帯電話機１８が、何れのデータ形式によるデータに対する再生機能を有しているか識別するための情報である。
【００３１】
また、データサーバ２４には、予約データ２４ｆが記録される。予約データ２４ｆは、グリーティング受付処理において事前予約が要求された場合に記憶されるデータである（詳細については後述する（図１５））。
【００３２】
図３には、機種識別情報２４ｅに含まれるデータの一例を示している。図３に示すように、機種識別情報２４ｅには、携帯電話機１８を識別するための機種情報（コード）と、同機種情報が示す機器において処理可能なデータ形式を示す対応再生機能情報とを対応付けて記録している。対応再生機能情報として、動画データをもとに動画を表示させることができる動画再生、Ｆｌａｓｈデータをもとにアニメーションなどを表示させることができるＦｌａｓｈ再生、静止画データを表示させることができる静止画再生などの情報が記録される。
【００３３】
ここでは、携帯電話機１８に搭載される再生機能は固定であるものとし、グリーティング配信装置１０には、各機種の携帯電話機１８のそれぞれについての対応再生機能情報が予め登録されているものとする。
【００３４】
図４は、本実施形態における携帯電話機１８の機能構成を示すブロック図である。図４には、Ｆｌａｓｈ及び動画非対応の機種である携帯電話機１８ａと、Ｆｌａｓｈ非対応の機種である携帯電話機１８ｂと、Ｆｌａｓｈ対応の機種である携帯電話機１８ｃとを示している。
【００３５】
携帯電話機１８ａ，１８ｂ，１８ｃは、それぞれが属する電話会社１４（１４ａ，１４ｂ，１４ｃ）が提供する基地局１６（１６ａ，１６ｂ，１６ｃ）との無線通信を通じて通信網と接続される。電話会社１４（１４ａ，１４ｂ，１４ｃ）は、インターネットを含むネットワーク１２と接続されており、携帯電話機１８は、ネットワーク１２を通じてグリーティング配信装置１０が提供するグリーティングデータの配信サービスを利用することができる。
【００３６】
各携帯電話機１８ａ，１８ｂ，１８ｃは、電話機として必要な機能、すなわち基地局１６（１６ａ，１６ｂ，１６ｃ）との間で無線通信機能、音声通話のための機能、プログラムを実行する制御装置（ＣＰＵ、メモリ等を含む）、表示装置、音声入出力装置（スピーカ、マイク）、各操作ボタン（数字（文字）ボタン、カーソルボタン、機能ボタンなど）、記録装置などが設けられているが、これらについては図示を省略している。
【００３７】
携帯電話機１８ａは、Ｆｌａｓｈ及び動画非対応の機種であり、各種プログラムを制御装置により実行することにより、メール送受信部３０ａ、受信プログラム実行部３１ａ、メール作成部３２ａ、送受信部３３ａ、操作入力部３４ａ、宛先入力部３５ａの機能を実現する。また、携帯電話機１８ａには、機種固有の機種情報３６ａが記録されている。なお、携帯電話機１８ａは、Ｆｌａｓｈ及び動画非対応であるが、基本的な機能として静止画データをもとに静止画像を表示させることができるものとする。
【００３８】
メール送受信部３０ａは、メール作成部３２ａによって作成された電子メールの送信、及び我部からの電子メール（グリーティング配信装置１０あるいは他の携帯電話機１８から送信された電子メールなど）の受信を実行する。
【００３９】
受信プログラム実行部３１ａは、ネットワーク１２を通じてグリーティング配信装置１０を含む各種サーバ装置などが提供する各種データを受信するためのプログラム（例えばブラウザプログラム）を実行する。受信プログラム実行部３１ａにより例えばグリーティング配信装置１０によるグリーティングサービスを提供するサイトにアクセスすることができる。
【００４０】
メール作成部３２ａは、ユーザが操作ボタン（図示せず）に対する操作を行うことにより操作入力部３４ａから入力されるデータをもとにして電子メールを作成する。メール作成部３２ａは、メール送受信部３０ａにより受信された電子メールを他に転送するための処理も実行する。
【００４１】
送受信部３３ａは、基地局１６ａとの間で無線通信により各種データ（音声通話、Ｗｅｂページデータ、電子メールなど）の送受信を実行する。
【００４２】
操作入力部３４ａは、携帯電話機１８ａに設けられた操作ボタンに対する入力操作に応じてデータを入力する。
【００４３】
宛先入力部３５ａは、メール作成部３２ａにより電子メールが作成される場合に、電子メールの送信先を示す宛先（アドレス）を入力する。
【００４４】
携帯電話機１８ｂは、Ｆｌａｓｈ非対応の機種であり、携帯電話機１８ａに示す構成にさらに動画再生部３７が設けられた構成である。他の構成については、携帯電話機１８ａの対応する機能とほぼ同一であるものとして詳細な説明を省略する。
【００４５】
動画再生部３７ｂは、動画データをもとに動画再生して表示装置において表示させるもので、送受信部３３ｂを通じてグリーティングデータとして動画データが受信された場合には、この動画データをもとにグリーティングを目的とした動画を表示させることができる。
【００４６】
携帯電話機１８ｃは、Ｆｌａｓｈ対応の機種であり、携帯電話機１８ｂに示す構成にさらにＦｌａｓｈデータ再生部３８ｃが設けられた構成である。他の構成については、携帯電話機１８ａ，１８ｂの対応する機能と同一であるものとして詳細な説明を省略する。
【００４７】
Ｆｌａｓｈデータ再生部３８ｃは、ベクトル形式のデータをもとにアニメーションなどを再生して表示装置において表示させるもので、送受信部３３ｂを通じてグリーティングデータとしてＦｌａｓｈデータが受信された場合には、このＦｌａｓｈデータをもとにグリーティングを目的としたアニメーションなどを表示させることができる。
【００４８】
次に、本実施形態におけるグリーティング配信装置１０の動作について、図５及び図６に示すフローチャートを参照しながら説明する。図７は、送信元の携帯電話機１８（以下、携帯電話機１８Ｘ）とグリーティング配信装置１０と送信先の携帯電話機１８（以下、携帯電話機１８Ｙ）との間の通信手順を示す図である。
【００４９】
グリーティング配信装置１０は、ネットワーク１２（ＷＷＷ）を通じて、携帯電話機１８からアクセスが可能なサイトにおいてグリーティングサービスを提供する。携帯電話機１８は、基地局１６、電話会社１４を介してネットワーク１２（ＷＷＷ）に接続し、グリーティング配信装置１０が開設しているサイトにアクセスすることができる。
【００５０】
図５は、グリーティング配信装置１０の制御部２２（グリーティング受付処理部２２ａ）により実行されるグリーティング受付処理の動作を説明するためのフローチャートである。
【００５１】
グリーティング受付処理部２２ａは、グリーティングサービスを利用するために、送信元の携帯電話機１８Ｘからグリーティング一覧の送信要求が受信されると（ステップＡ１）、データサーバ２４に記録されたデータ一覧表２４ｄを読み出し、送信元の携帯電話機１８Ｘに対して送信する（ステップＡ２）（図７（１）（２））。
【００５２】
送信元の携帯電話機１８Ｘは、送受信部３３を通じてデータ一覧表２４ｄを受信すると、このデータをもとにグリーティング一覧を表示装置において表示させる（図７（３））。
【００５３】
図８（ａ）には、携帯電話機１８Ｘにおいて表示されたグリーティング一覧画面の一例を示している。グリーティング一覧中では、操作入力部３４に対する操作によってカーソルを移動させて、グリーティングの対象として何れかを任意に選択することができる。
【００５４】
ここで、例えば「誕生日」が選択された場合（図７（４））、グリーティング受付処理部２２ａは、この選択された「誕生日」を示す種類データを取得する（ステップＡ３）。ここで、グリーティング受付処理部２２ａは、種類データが示す静止画データ２４ｃを読み出し、サンプル表示用として送信元の携帯電話機１８Ｘに送信する（ステップＡ４）。この時、静止画データ２４ｃと共に予め用意されたサンプルのメッセージ（テキスト）あるいは音声データなどを添付して送信するようにしても良い。
【００５５】
送信元の携帯電話機１８Ｘは、サンプル表示用に静止画データ２４ｃを受信すると、このデータをもとに画像を表示する。図８（ｂ）には、サンプル画像が表示された画面の一例を示している。図８（ｂ）に示す例では、サンプル画像（静止画）と共にメッセージ「お誕生日おめでとう！」が表示されている。
【００５６】
ここで、サンプル表示された画像を確認したユーザによりキャンセルが指示された場合（ステップＡ５、Ｎｏ）、送信元の携帯電話機１８Ｘにおいて、再度、グリーティング一覧画面を表示させて別のグリーティングの対象を選択させる。
【００５７】
一方、サンプル画像表示に対して確定が指示された場合（ステップＡ５、Ｙｅｓ）、グリーティング受付処理部２２ａは、携帯電話機１８Ｘに対して、確定されたグリーティング対象とする種類データを受信する。また、グリーティング受付処理部２２ａは、グリーティングデータの送信相手を示す送信先ユーザ名や送信元ユーザ名、またグリーティングデータに添付するメッセージ（テキストデータ）、送信先メールアドレス、送信元メールアドレスなどを入力するための画面を表示させ、それぞれを入力させる（ステップＡ６）。
【００５８】
グリーティング受付処理部２２ａは、送信元の携帯電話機１８Ｘから各種データを取得すると、グリーティング配信準備のためにデータサーバ２４に記録させておく（ステップＡ７）（図７（５））。
【００５９】
こうして、グリーティング受付処理部２２ａは、送信元の携帯電話機１８Ｘからグリーティングデータの送信要求を受信すると、この送信元に対して確認メールを送信する（ステップＡ８）（図７（６））。確認メールにより、グリーティングデータの送信要求を受け付けたことを通知すると共に、グリーティングデータの要求先を示す情報、例えばグリーティング配信装置１０がグリーティングデータを提供するサイト（Ｗｅｂページ）を示すＵＲＬ（uniform resource locator）を通知する。
【００６０】
送信元の携帯電話機１８Ｘは、グリーティング配信装置１０から確認メールを受信すると、これを送信先の携帯電話機１８Ｙに対して転送する（図７（７））。送信先の携帯電話機１８では、送信元の携帯電話機１８Ｘから受信した電子メールを閲覧することで、グリーティングが配信されたことを知ることができる。
【００６１】
図８（ｃ）には、送信先の携帯電話機１８Ｙにおいて表示された確認メール画面の一例を示している。図８（ｃ）には、「○○さんからグリーティングメッセージが届いています」のメッセージと共に、グリーティングデータの取得先を示すＵＲＬ（例えば「http://www.aaaaa」）が表示されている。送信先の携帯電話機１８Ｙは、確認メール画面中で表示されたＵＲＬを選択する操作（クリック）することで、このアドレスが示すサイト、すなわちグリーティング配信装置１０がグリーティングデータを送信するサイトにアクセスしてグリーティング受信要求を送信することができる（図７（８））。グリーティング受信要求では、携帯電話機１８Ｙに固有の機種情報３６が共に送信される。
【００６２】
図６は、グリーティング配信装置１０の制御部２２（グリーティング配信処理部２２ｂ）により実行されるグリーティング配信処理の動作を説明するためのフローチャートである。
【００６３】
グリーティング配信装置１０のグリーティング配信処理部２２ｂは、送信先の携帯電話機１８Ｙからグリーティング受信要求が受信されると（ステップＢ１、Ｙｅｓ）、この要求と共に機種情報を含む各種情報を受信する（ステップＢ２）。各種情報には、送信元の携帯電話機１８Ｘにおいて指定された送信先を特定する情報が含まれるものとする。
【００６４】
グリーティング配信処理部２２ｂは、この送信先を特定する情報が、グリーティング受け付け処理においてデータサーバ２４にグリーティング配信準備として登録された情報と一致しているか否かによって、正当な送信先からのグリーティング受信要求であるかを確認する。
【００６５】
例えば、送信先の携帯電話機１８Ｘから受信された送信先ユーザ名、送信先メールアドレスなどをもとにして確認することができる。また、グリーティング配信装置１０からの確認メールにより通知されるグリーティングデータの取得先を示すＵＲＬに、個々のグリーティング送信要求に対して固有のパラメータを付加しておくことで、何れのパラメータが付加されたＵＲＬによりアクセスされたかによって受信要求元を確認することもできる。この場合、個々のパラメータの情報は、グリーティング配信準備としてデータサーバ２４に記憶させておくものとする。なお、送信先を特定する方法は、前述した方法に限るものではなく、任意の方法を採用することが可能である。
【００６６】
こうして、正しい送信先からの受信要求であることが確認されると（ステップＢ３、Ｙｅｓ）、グリーティング配信処理部２２ｂは、受信要求と共に受信した機種情報をもとにして、送信先の携帯電話機１８Ｙが処理可能なデータ形式を機種識別部２２ｃにより識別させる。
【００６７】
機種識別部２２ｃは、受信した機種情報により機種識別情報２４ｅを検索して該当する機種情報（コード）が登録されているか判別する。そして、該当する機種情報が取得された場合に、この機種情報に対応して登録されている対応再生機能情報により送信先の携帯電話機１８Ｙが処理可能なデータ形式を判別する。
【００６８】
グリーティング配信処理部２２ｂは、機種識別部２２ｃにより識別されたデータ形式に応じて（ステップＢ４，Ｂ５）、データサーバ２４から該当するデータ形式のグリーティングデータを読み出す（ステップＢ６，Ｂ７，Ｂ８）。そして、グリーティングデータと他のデータ、例えば送信元の携帯電話機１８Ｘから受信しているメッセージデータや送信先ユーザ名などを用いて配信用のデータを作成し、送信先の携帯電話機１８Ｙに送信する（ステップＢ９，Ｂ１０）。
【００６９】
例えば、機種情報「Ｂ」が受信されている場合には、図３に示す機種識別情報２４ｅのように、この情報とＦｌａｓｈ再生を示す情報が記録されているので、再生可能なデータ形式がＦｌａｓｈデータ２４ａであると識別することができる（ステップＢ４、Ｙｅｓ）。グリーティング配信処理部２２ｂは、データサーバ２４から種類データに該当するグリーティング用のＦｌａｓｈデータ２４ａを読み出し（ステップＢ６）、このデータを用いて配信用のデータを作成して送信する（ステップＢ９，Ｂ１０）（図７（９）（１０））。
【００７０】
また、機種情報「Ａ」が受信されている場合、機種識別情報２４ｅには、この情報と動画再生を示す情報が記録されているので（ステップＢ５、Ｙｅｓ）、データサーバ２４から種類データに該当するグリーティング用の動画データ２４ｂを読み出し（ステップＢ７）、このデータを用いて配信用のデータを作成して送信する（ステップＢ９，Ｂ１０）（図７（１１）（１２））。
【００７１】
また、機種情報「Ｃ」が受信されている場合、機種識別情報２４ｅには、この情報と静止画再生を示す情報が記録されているので（ステップＢ５、Ｎｏ）、データサーバ２４から種類データに該当するグリーティング用の静止画データ２４ｃを読み出し（ステップＢ８）、このデータを用いて配信用のデータを作成して送信する（ステップＢ９，Ｂ１０）（図７（１３））。
【００７２】
送信先の携帯電話機１８Ｙは、グリーティング配信装置１０からグリーティングデータを受信して、このデータを自機に搭載された機能を用いて表示装置において表示させる（図７（１４））。
【００７３】
このようにして、グリーティング配信装置１０は、送信元の携帯電話機１８Ｘからのグリーティングデータの送信要求に応じて、送信先の携帯電話機１８Ｙにおいて処理可能なデータ形式のグリーティングデータを選択して送信することができる。
【００７４】
また、本実施形態のグリーティング配信装置１０は、送信元の携帯電話機１８Ｘが何れのデータ形式に対応可能であるかに関係なく、送信元の携帯電話機１８Ｙに搭載された機能に適したグリーティングデータを送信することができる。すなわち、送信元がＦｌａｓｈ及び動画非対応の機種である携帯電話機１８ａであっても、サンプル画像として静止画像データを受信して、送信対象とするグリーティングデータを確認し、送信要求をすることができる。そして、グリーティング配信装置１０は、携帯電話機１８ａからの要求に対して、例えば送信先がＦｌａｓｈ対応の携帯電話機１８ｃであれば、Ｆｌａｓｈデータ２４ａによるグリーティングデータを送信する。
【００７５】
また、グリーティング配信装置１０は、基本的にＦｌａｓｈデータ２４ａの配信を主とするサービスを提供する構成としても良い。この場合、送信元の携帯電話機１８Ｘに対して、サンプル画像としてＦｌａｓｈデータ２４ａを送信して送信対象とするグリーティングデータを確認／選択させる。この場合においても、送信先の携帯電話機１８Ｙが何れのデータ形式に対応可能であるか識別して、送信先に応じたデータ形式のグリーティングデータが送信される。従って、送信先が例えばＦｌａｓｈ非対応の動画の再生のみが可能な携帯電話機１８ｂであっても、動画データ２４ｂによるグリーティングデータを送信することができる。
【００７６】
なお、図７を用いた説明では、グリーティング配信装置１０から送信元の携帯電話機１８Ｘに対して確認メールを送信し、携帯電話機１８Ｘから送信先の携帯電話機１８Ｙに対して、このメールを転送するものとしているが、グリーティング配信装置１０から直接送信先の携帯電話機１８Ｙに対して確認メールを送信するようにしても良い。
【００７７】
図９には、グリーティング配信装置１０から携帯電話機１８Ｙに対して確認メールを送信する場合の送信元の携帯電話機１８Ｘとグリーティング配信装置１０と送信先の携帯電話機１８Ｙとの間の通信手順を示す図である。
【００７８】
図９に示すように、グリーティング配信装置１０は、送信元の携帯電話機１８Ｘからの送信要求に応じて確認メールを作成して送信先の携帯電話機１８Ｙに送信する（図９（６））。
【００７９】
送信先の携帯電話機１８Ｙは、グリーティング配信装置１０から受信した電子メールを通じて、グリーティングデータを送信するサイトにアクセスしてグリーティング受信要求を送信することができる（図９（７））。
【００８０】
なお、図９に示す手順の場合、送信先の携帯電話機１８Ｙでは、突然、知らない送り先から電子メールを受信することになるので、グリーティング配信装置１０は、送信元ユーザからの要求に応じて送信された電子メールであることを、送信先に認識されるように電子メールを作成して送信するものとする。
【００８１】
また、送信元ではグリーティング配信装置１０に対してグリーティングの送信要求を送信した後、グリーティング配信装置１０から送信先の携帯電話機１８Ｙに対して通知されているか（サービスが提供されているか）を確認することができない。従って、グリーティング配信装置１０は、例えば、送信元の携帯電話機１８Ｙに対してグリーティングデータを配信した後に、送信元の携帯電話機１８Ｘに対して送信完了を通知する電子メールを送信するようにしても良い。
【００８２】
なお、前述した実施形態では、送信先の携帯電話機１８からインターネット（ＷＷＷ）を通じて送信要求が受信された場合に、グリーティング配信装置１０からグリーティングデータを配信するとしているが、例えば電子メールにグリーティングデータを添付して配信する構成とすることもできる。また、送信先の携帯電話機１８から電子メールにより送信要求を受信する構成としても良い。例えば、送信元の携帯電話機１８あるいはグリーティング配信装置１０から受信した確認メールをグリーティング配信装置１０に転送することでグリーティングデータの受信要求とする。この受信要求のための電子メールには、送信先の携帯電話機１８の機種情報が付加されるものとする。
【００８３】
また、前述した実施形態では、グリーティング配信装置１０から配信可能なコンテンツデータのデータ形式として、図２に示すように、Ｆｌａｓｈデータ２４ａ、動画データ２４ｂ、静止画データ２４ｃが含まれるものとしているが、携帯電話機１８（あるいはその他の情報機器）において処理が可能なその他のデータ形式によるグリーティングデータを用いることも可能である。この場合、機種識別情報２４ｅには、その他のデータ形式が処理可能な機種を判別することができる情報が予め記録されているものとする。
【００８４】
また、携帯電話機１８は、通信網を介してグリーティング配信装置１０、あるいは電話会社１４（のサーバ装置）からグリーティング配信装置１０が配信する特定のデータ形式のデータを処理可能なアプリケーションプログラムをダウンロードして実行することができる。携帯電話機１８は、特定のデータ形式に対応するアプリケーションプログラムをダウンロードした場合、確認メールに対して機種情報と共に、ダウンロードしたアプリケーションにより処理可能なデータ形式を示す情報をグリーティング配信装置１０に送信するようにしても良い。これにより、グリーティング配信装置１０から配信可能なグリーティングデータのデータ形式を拡張することができる。
【００８５】
また、前述した説明では、グリーティング配信装置１０から携帯電話機１８に対して、グリーティング用のデータを配信する場合について説明しているが、目的が異なる他のコンテンツデータを配信する場合に適用することもできる。すなわち、同一目的のデータ形式が異なる複数のコンテンツデータであれば、本実施形態におけるグリーティング配信装置１０から配信することができる。
【００８６】
また、送信元の携帯電話機１８から特定の１つの送信先に対してグリーティングデータを送信する場合について説明しているが、グリーティング配信装置１０は、送信元の携帯電話機１８から複数の送信先に対する送信要求を受け付けることも可能である。この場合、送信元では各送信元の携帯電話機１８で処理可能なデータ形式を意識することなく、グリーティングデータの種類を選択するだけで、グリーティング配信装置１０から各送信先に対して、送信先の携帯電話機１８に搭載された機能に合わせたデータ形式のグリーティングデータが送信されることになる。
【００８７】
また、携帯電話機１８に対してデータを配信する場合について説明しているが、他の情報機器を対象とすることができる。この場合、送信先とする情報機器に対して確認メールを送信した場合に（図７（７）、図９（６））、この情報機器から機種情報、あるいは処理が可能なデータ形式の情報をグリーティング配信装置１０に送信されるようにする。機種情報が情報機器から送信される場合、グリーティング配信装置１０は、この機種情報をもとに送信先の情報機器が処理可能なデータ形式を、機種識別情報２４ｅを参照して判別する。
【００８８】
また、本実施形態におけるグリーティング配信装置１０では、ＷＷＷを通じて携帯電話機１８との間でデータの送受信をする機能と、確認メールなどの電子メールを送受信する機能とを有するとしているが、それぞれを別の装置において実現する構成とすることも可能である。
【００８９】
なお、前述した説明では、グリーティング配信装置１０は、送信元の携帯電話機１８Ｘからグリーティングデータの送信要求を受信した場合、この送信要求に応じて直ちにグリーティング配信準備を実行して確認メールを送信している（図７（６）、図９（６））。
【００９０】
このように、グリーティング配信装置１０が携帯電話機１８Ｘからの要求に対して即時にグリーティングを配信する処理を実行する構成とした場合、発信元の利用者（贈り手）がグリーティングを送りたい当日にグリーティング配信装置１０が提供するサービスを利用するか、あるいは事前にサービスを利用して確認メールを携帯電話機１８に蓄積しておき（図７に示す手続きの場合）、グリーティングを贈りたい当日に送信先（受取人）に対してメールを転送する操作をしなければならない。
【００９１】
しかし、この利用方法では、贈り手自身がグリーティングを送信するスケジュールを管理しなければならず、贈り手に煩わしい作業負担を課すことになる。この場合、贈り手がグリーティングを贈る日を忘れてしまい、サービスの利用機会を逸してしまう状況が発生しうる。
【００９２】
そこで、本発明では、前述したグリーティング配信装置１０に対して、以下に説明するようにグリーティングの事前予約を可能とする機能を設けることにより、贈り手の負担を軽減して、サービスの利用機会を失わないようにすることも可能である。以下、グリーティングの事前予約をする場合のグリーティング配信装置１０の動作について説明する。
【００９３】
なお、グリーティング配信装置１０の基本的な構成については、前述したものと同じである。ただし、データサーバ２４では、図１に示すように、グリーティングの予約を管理するための予約データ２４ｆがさらに記憶される。
【００９４】
次に、本実施形態におけるグリーティングの事前予約を可能としたグリーティング配信装置１０の動作について、図１０及び図１１に示すフローチャートを参照しながら説明する。図１２及び図１３は、送信元の携帯電話機１８（携帯電話機１８Ｘ）とグリーティング配信装置１０と送信先の携帯電話機１８（携帯電話機１８Ｙ）との間の通信手順を示す図である。
【００９５】
まず、グリーティング配信装置１０の制御部２２（グリーティング受付処理部２２ａ）により実行されるグリーティング受付処理の動作について、図１０に示すフローチャートを参照しながら説明する。なお、図１０に示すステップＣ１〜Ｃ５の処理は、図５に示すステップＡ１〜Ａ５と同様にして実行されるものとして説明を省略する。
【００９６】
グリーティング受付処理部２２ａは、送信元の携帯電話機１８Ｘから各種データ（送信先ユーザ名／メールアドレス、送信元ユーザ名／メールアドレス等）を取得すると（ステップＣ６）、このデータを用いたグリーティングの送信を即時に実行する即時処理、あるいは事前予約をする予約処理の何れかを実行する指示を入力するように携帯電話機１８Ｘに対して要求する。
【００９７】
携帯電話機１８Ｘでは、例えば即時処理あるいは予約処理の何れかを選択するためのメニュー画面を表示し、このメニュー画面から利用者の入力操作によって何れかを選択させる。携帯電話機１８Ｘは、メニュー画面から選択された即時処理または予約処理の何れかの実行要求を、グリーティング配信装置１０（グリーティング受付処理部２２ａ）に通知する。
【００９８】
ここで、グリーティング受付処理部２２ａは、携帯電話機１８Ｘから即時処理の実行要求が通知されると（ステップＣ７、即時処理）、グリーティング配信準備、確認メールの作成／送信を実行する（ステップＣ８，Ｃ９）。なお、ステップＣ８，９の処理は、図５のフローチャートに示すステップＡ７，Ａ８の処理と同一であるので詳細な説明を省略する。
【００９９】
一方、グリーティング受付処理部２２ａは、携帯電話機１８Ｘから予約処理の実行要求が通知されると（ステップＣ７、予約処理）、予約受付処理によってグリーティングの予約に必要なグリーティング予約日時を取得する（ステップＣ１０）（図１２（５））。
【０１００】
例えば、グリーティング受付処理部２２ａは、グリーティング予約処理の実行が要求された場合（図１４（ａ））、図１４（ｂ）に示すような、予約日として指定することが可能な期間（例えば１ヶ月間）のカレンダーを携帯電話機１８Ｘにおいて表示させ、そのカレンダー中から予約日を指定させる。さらに、予約日が指定されると、グリーティングを実行する時刻（グリーティング配信装置１０から携帯電話機１８Ｘに対して確認メールを送信する時刻）の指定を入力させる。
【０１０１】
グリーティング受付処理部２２ａは、グリーティング予約日時を携帯電話機１８Ｘから受信すると、予約受付確認通知を携帯電話機１８Ｘに送信すると共に、データサーバ２４に予約データ２４ｆを記憶させておく（ステップＣ１１）。
【０１０２】
図１４（ｃ）には、携帯電話機１８Ｘにおいて表示される予約受付確認の画面の一例を示している。図１４（ｃ）に示すように、予約受付確認画面では、先に選択されているグリーティングデータの種類（例えば「年賀状１」）と、指定されたグリーティング予約日時（「１月１日１０：００」）とが表示される。これにより、携帯電話機１８Ｘを使用している贈り手は予約受付を確認することができる（図１２（６））。
【０１０３】
図１５には、データサーバ２４に記憶される予約データ２４ｆの一例を示している。例えば、予約データ２４ｆは、図１５に示すように、グリーティングデータの種類を示す種類データと、グリーティング予約日時を示す予約日時データ、送信元に関するデータ（送信元データ）、送信先に関するデータ（送信先データ）とが対応付けて記憶される。データサーバ２４に記憶された予約データ２４ｆは、後述するグリーティング配信処理に用いられる。
【０１０４】
前述した予約処理によってグリーティング配信装置１０に登録された予約内容については、携帯電話機１８Ｘから任意のタイミングで確認することができる。すなわち、携帯電話機１８Ｘにより、ネットワーク１２（ＷＷＷ）を介して、グリーティング配信装置１０が開設しているサイトにアクセスし、予め登録してある送信元データ（送信元ユーザ名、送信元メールアドレス）を指定して、グリーティング予約確認を要求することができる（図１２（７））（図１６（ａ））。
【０１０５】
グリーティング受付処理部２２ａは、グリーティング予約確認が要求されると、データサーバ２４に記憶された予約データ２４ｆをもとに、送信元データに対応して記憶されている種類データと予約日時データとを読み出す。そして、このデータをもとに予約内容を一覧表示するためのグリーティング予約一覧データを生成して携帯電話機１８Ｘに送信する（図１２（８））。
【０１０６】
携帯電話機１８Ｘは、グリーティング配信装置１０から受信したグリーティング予約一覧データをもとに、グリーティング予約確認用の画面を表示させる（図１２（９））。図１６（ｂ）には、グリーティング予約確認用の画面の一例を示している。グリーティング予約確認用の画面では、グリーティング予約されたグリーティングデータの種類（「年賀状１」など）と予約日時（「１月１日１０：００」など）とが、それぞれ対応付けられて一覧表示される。
【０１０７】
この一覧表示画面では、携帯電話機１８Ｘに設けられたカーソルキーなどの操作によって、何れかの予約を変更対象として任意に選択（クリック）することができる（図１２（１０））。何れかの予約が選択されると、携帯電話機１８Ｘは、予約内容（データ種類、予約日時）を含む予約変更用の画面を表示する。図１６（ｃ）には、図１６（ｂ）に示す一覧表示中から２番目の予約が変更対象として選択された場合に表示される予約変更用の画面の一例を示している。
【０１０８】
図１６（ｃ）に示す予約変更用の画面では、データ種類を示す「クリスマス２」または予約日時を示す「１２月２４日１３：００」の何れかを選択して変更することができる。ここで、データ種類「クリスマス２」が選択された場合、携帯電話機１８Ｘは、グリーティング配信装置１０（グリーティング受付処理部２２ａ）に対して、グリーティング作成要求を送信する。すなわち、図１０に示すステップＣ１〜Ｃ５（図１２（１）〜（４））の処理を実行することで、改めてグリーティングデータを選択することができる。
【０１０９】
また、予約日時「１２月２４日１３：００」が選択された場合、携帯電話機１８Ｘは、変更後の日付または時刻をボタン操作などにより入力して、グリーティング配信装置１０（グリーティング受付処理部２２ａ）に送信する。
【０１１０】
また、予約変更用の画面には、選択された予約の削除を指示する項目「このグリーティングを削除」が設けられている。この項目が選択された場合、携帯電話機１８Ｘは、図１６（ｃ−３）に示すように、削除の確認を促すためのメッセージ「削除してよろしいでしょうか？」を表示し、この表示に対して確認の指示が「確定ボタン」の操作などにより指示されると、グリーティング受付処理部２２ａに対して予約削除の要求を送信する。
【０１１１】
こうして、グリーティング受付処理部２２ａは、携帯電話機１８Ｘからデータ種類または予約日時の変更指示、あるいは予約の削除が出力されると、指示された内容に応じてデータサーバ２４に記憶されている予約データ２４ｆを変更する（図１２（１１））。
【０１１２】
このように、本実施形態におけるグリーティング配信装置１０では、グリーティング予約確認によって、グリーティング実施前であれば任意のタイミングでグリーティング内容を変更することができる。
【０１１３】
次に、事前予約された場合のグリーティング配信処理について、図１１に示すフローチャートを参照しながら説明する。
【０１１４】
グリーティング配信処理部２２ｂは、データサーバ２４に記憶された予約データ２４ｆの予約日時データを参照し、予約日時に到達した予約があるか監視している（ステップＤ１）（図１３（１））。予約日時に到達した予約があると（ステップＤ１、Ｙｅｓ）、グリーティング配信処理部２２ｂは、グリーティング配信準備のために、予約データ２４ｆ中の該当する予約日時データに対応する各データ（種類データ、送信元データ、送信先データ）をデータサーバ２４記録させておく（ステップＤ２）（図１３（２））。すなわち、送信先の携帯電話機１８Ｙからのグリーティング受信要求の対象となるデータとして記憶しておく。
【０１１５】
また、グリーティング配信処理部２２ｂは、送信元の携帯電話機１８Ｘに対して確認メールを作成して送信する（ステップＤ３）（図１３（３））。この確認メールによって、携帯電話機１８Ｘの利用者（贈り手）は、予約してあったグリーティングの配信日時となったことを知ることができる。従って、贈り手は、グリーティング配信装置１０にグリーティングの送信を予約していたことを忘れていたとしても、この確認メールにより通知されるので、グリーティングを送信するタイミングを逸することがない。
【０１１６】
送信元の携帯電話機１８Ｘは、グリーティング配信装置１０から確認メールを受信すると、これを送信先の携帯電話機１８Ｙに対して転送すれば良い（図１３（４））。送信先の携帯電話機１８Ｙでは、送信元の携帯電話機１８Ｘから受信した電子メール（転送された確認メール）を閲覧することで、贈り手によってグリーティングデータが配信されるように手配されていることを知ることができる。
【０１１７】
なお、受信側（受取人）の携帯電話機１８Ｙでは、携帯電話機１８Ｙを使用している相手、すなわちメールアドレスを教えている知人（のメールアドレス）を発信元とする電子メール（確認メール）を受信することになる。従って、突然、グリーティングに関する電子メールが受信されたとしても、迷惑メールとして認識されて受信拒否されたり、メール内容を確認されることなく破棄されるおそれがない。
【０１１８】
携帯電話機１８Ｙにより受信された電子メール（確認メール）には、グリーティングデータの要求先を示す情報、例えばグリーティング配信装置１０によるグリーティングデータを提供するサイト（Ｗｅｂページ）を示すＵＲＬが含まれている（図８（ｃ）参照）。携帯電話機１８Ｙでは、確認メール画面中で表示されたＵＲＬを選択する操作（クリック）することで、このアドレスが示すサイト、すなわちグリーティング配信装置１０がグリーティングデータを送信するサイトにアクセスしてグリーティング受信要求を送信することができる。
【０１１９】
なお、図１１のフローチャートに示すステップＤ４〜Ｄ１２の処理については、図６に示すフローチャートのステップＢ２〜Ｂ１０と同様の処理を実行するものとして詳細な説明を省略する。また、図１３（２）〜（１１）は、図７（５）〜（１４）のそれぞれに対応している。
【０１２０】
このようにして、本実施形態におけるグリーティング配信装置１０では、送信元の携帯電話機１８Ｘからの要求に応じてグリーティングの事前予約をすることが可能となる。従って、グリーティングの贈り手がグリーティングのスケジュールを管理する必要がなく、グリーティング配信装置１０から予約日時に確認メールが受信された時に、送信先の相手に確認メールを転送するだけで良い。また、事前予約をする場合であっても、送信先に確認メールを転送する手順を用いるので、送信元（贈り手）のメールアドレスを発信元とする電子メールによって、グリーティングの配信を送信先の相手に通知することができる。従って、迷惑メールと認識されて受信拒否や破棄されることを回避でき、グリーティングデータの配信を確実にすることができる。
【０１２１】
なお、前述した説明では、図７に示す手順において、さらに予約処理が実行可能としているが（図１２、図１３）、図９に示す手順においても予約処理を実行可能としても良い。この場合、グリーティング配信装置１０は、予約処理によって記憶された予約データ２４ｆを参照し、予約日時に到達した予約がある場合に、この予約内容（種類データ、送信元データ、送信先データ）をもとに作成した確認メールを送信先に送信すれば良い。
【０１２２】
また、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【０１２３】
また、実施形態に記載した手法は、計算機（コンピュータ）に実行させることができるプログラム（ソフトウエア手段）として、例えば磁気ディスク（フレキシブルディスク、ハードディスク等）、光ディスク（ＣＤ−ＲＯＭ、ＤＶＤ、ＭＯ等）、半導体メモリ（ＲＯＭ、ＲＡＭ、フラッシュメモリ等）等の記録媒体に格納し、また通信媒体により伝送して頒布することもできる。なお、媒体側に格納されるプログラムには、計算機に実行させるソフトウエア手段（実行プログラムのみならずテーブルやデータ構造も含む）を計算機内に構成させる設定プログラムをも含む。本装置を実現する計算機は、記録媒体に記録されたプログラムを読み込み、また場合により設定プログラムによりソフトウエア手段を構築し、このソフトウエア手段によって動作が制御されることにより上述した処理を実行する。なお、本明細書でいう記録媒体は、頒布用に限らず、計算機内部あるいはネットワークを介して接続される機器に設けられた磁気ディスクや半導体メモリ等の記憶媒体を含むものである。
【図面の簡単な説明】
【０１２４】
【図１】本発明の実施形態におけるシステムの構成を示すブロック図。
【図２】本実施形態におけるデータサーバ２４に記録されるグリーティングデータ（Ｆｌａｓｈデータ２４ａ、動画データ２４ｂ、静止画データ２４ｃ）の対応関係を示す図。
【図３】本実施形態における機種識別情報２４ｅに含まれるデータの一例を示す図。
【図４】本実施形態における携帯電話機１８の機能構成を示すブロック図。
【図５】本実施形態におけるグリーティング受付処理の動作を説明するためのフローチャート。
【図６】本実施形態におけるグリーティング配信処理の動作を説明するためのフローチャート。
【図７】本実施形態における送信元の携帯電話機１８Ｘとグリーティング配信装置１０と送信先の携帯電話機１８Ｙとの間の通信手順を示す図。
【図８】本実施形態における携帯電話機１８の表示画面例を示す図。
【図９】本実施形態における送信元の携帯電話機１８Ｘとグリーティング配信装置１０と送信先の携帯電話機１８Ｙとの間の通信手順を示す図。
【図１０】本実施形態におけるグリーティングの事前予約を可能としたグリーティング受付処理の動作について説明するためのフローチャート。
【図１１】本実施形態におけるグリーティングの事前予約を可能としたグリーティング配信処理の動作について説明するためのフローチャート。
【図１２】本実施形態における事前予約を可能とした場合の送信元の携帯電話機１８Ｘとグリーティング配信装置１０と送信先の携帯電話機１８Ｙとの間の通信手順を示す図。
【図１３】本実施形態における事前予約を可能とした場合の送信元の携帯電話機１８Ｘとグリーティング配信装置１０と送信先の携帯電話機１８Ｙとの間の通信手順を示す図。
【図１４】本実施形態における予約処理時の送信側の携帯電話機１８Ｘの表示画面例を示す図。
【図１５】本実施形態における予約データ２４ｆの一例を示す図。
【図１６】本実施形態における予約変更時の送信側の携帯電話機１８Ｘの表示画面例を示す図。
【符号の説明】
【０１２５】
１０…グリーティング配信装置、１２…ネットワーク、１４（１４ａ，１４ｂ，１４ｃ）…電話会社、１６（１６ａ，１６ｂ，１６ｃ）…基地局、１８（１８ａ，１８ｂ，１８ｃ）…携帯電話機、２０…送受信部、２１…データ取得部、２２…制御部、２２ａ…グリーティング受付処理部、２２ｂ…グリーティング配信処理部、２２ｃ…機種識別部、２４…データサーバ、２４ａ…Ｆｌａｓｈデータ、２４ｂ…動画データ、２４ｃ…静止画データ、２４ｄ…データ一覧表、２４ｅ…機種識別情報、２４ｆ…予約データ、３０（３０ａ，３０ｂ，３０ｃ）…メール送受信部、３１（３１ａ，３１ｂ，３１ｃ）…受信プログラム実行部、３２（３２ａ，３２ｂ，３２ｃ）…メール作成部、３３（３３ａ，３３ｂ，３３ｃ）…送受信部、３４（３４ａ，３４ｂ，３４ｃ）…操作入力部、３５（３５ａ，３５ｂ，３５ｃ）…宛先入力部、３６（３６ａ，３６ｂ，３６ｃ）…機種情報、３７（３７ｂ，３７ｃ）…動画再生部、３８ｃ…Ｆｌａｓｈデータ再生部。
【図１】
2007048255.tif 000003
【図２】
2007048255.tif 000004
【図３】
2007048255.tif 000005
【図４】
2007048255.tif 000006
【図５】
2007048255.tif 000007
【図６】
2007048255.tif 000008
【図７】
2007048255.tif 000009
【図８】
2007048255.tif 000010
【図９】
2007048255.tif 000011
【図１０】
2007048255.tif 000012
【図１１】
2007048255.tif 000013
【図１２】
2007048255.tif 000014
【図１３】
2007048255.tif 000015
【図１４】
2007048255.tif 000016
【図１５】
2007048255.tif 000017
【図１６】
2007048255.tif 000018